(57)【要約】【課題】包装容器を直立させるための脚部の強度を確保しつつ、脚部の意匠性を向上させることが可能な包装容器を提供する。【解決手段】第１の底面板（12-1）には、折線（a）が設けられていない箇所を繋いだ少なくとも１つの切込（30）が設けられており、該切込（30）により、包装容器（100）の脚部（20）となる第１の脚板（20-1）を構成し、第２の底面板（12-2,12-3）の他端は、折線（m）を介して脚部（20）となる第２の脚板（20-2）と連接しており、第２の脚板（20-2）を、折線（m）を介して折り曲げ、該折り曲げた第２の脚板（20-2）を、切込（30）を介して第１の底面板（12-1）の表面側に突出させ、該突出させた第２の脚板（20-2）の裏面と第１の脚板（20-1）の裏面とを重ね合わせて脚部（20）を構成し、前面板（16）と第２の底面板（12-2,12-3）とが連接している折線（h）の箇所と、脚部（20）と、で包装容器（100）を直立させる。【選択図】図６
2011105335.tif 000002
【特許請求の範囲】
【請求項１】
内容物を収納可能な包装容器であって、
前記包装容器の底面は、前記包装容器の背面を構成する背面板と折線を介して連接している第１の底面板の裏面と、前記包装容器の前面を構成する前面板と折線を介して連接している第２の底面板の表面と、が重なりあって構成し、
前記第１の底面板には、前記折線が設けられていない箇所を繋いだ少なくとも１つの切込が設けられており、該切込により、前記包装容器の脚部となる第１の脚板を構成し、
前記第２の底面板の他端は、折線を介して前記脚部となる第２の脚板と連接しており、前記第２の脚板を、前記折線を介して折り曲げ、該折り曲げた第２の脚板を、前記切込を介して前記第１の底面板の表面側に突出させ、該突出させた前記第２の脚板の裏面と前記第１の脚板の裏面とを重ね合わせて前記脚部を構成し、
前記前面板と前記第２の底面板とが連接している折線の箇所と、前記脚部と、で前記包装容器を直立させるようにしたことを特徴とする包装容器。
【請求項２】
前記第１の底面板の他端は、折線を介して差込片と連接しており、
前記前面板と前記第２の底面板とが連接している箇所には、切込が設けられており、
前記底面は、前記第１の底面板の裏面と、前記第２の底面板の表面と、を重ね合わせた際に、前記差込片を前記切込に差し込み、前記第１の底面板の裏面と、前記第２の底面板の表面と、を重ね合わせた状態を維持させるようにしたことを特徴とする請求項１記載の包装容器。
【請求項３】
内容物を収納可能な包装容器であって、
前記包装容器の底面は、前記包装容器の左側面を構成する左側面板と折線を介して連接している第１の底面板の表面と、前記包装容器の前面を構成する前面板と折線を介して連接している第２の底面板の裏面と、前記包装容器の右側面を構成する右側面板と折線を介して連接している第３の底面板の表面と、が重なりあって構成し、
前記包装容器の背面を構成する背面板の前記底面側は、前記包装容器の脚部となる第１の脚板を有し、
前記第２の底面板の他端は、折線を介して前記脚部となる第２の脚板と連接しており、前記第２の脚板を、前記折線を介して折り曲げ、該折り曲げた第２の脚板の裏面と前記第１の脚板の裏面とを重ね合わせて前記脚部を構成し、
前記前面板と前記第２の底面板とが連接している折線の箇所と、前記脚部と、で前記包装容器を直立させるようにしたことを特徴とする包装容器。
【請求項４】
内容物を収納可能な包装容器であって、
前記包装容器の底面は、前記包装容器の左側面を構成する左側面板と折線を介して連接している第１の底面板の表面と、前記包装容器の前面を構成する前面板と折線を介して連接している第２の底面板の裏面と、前記包装容器の右側面を構成する右側面板と折線を介して連接している第３の底面板の表面と、が重なりあって構成し、
前記包装容器の背面を構成する背面板の前記底面側は、前記包装容器の脚部となる第１の脚板を有し、
前記底面を構成した際に、前記第１の底面板の前記背面側となる端には、折線を介して、前記脚部となる第２の脚板が連接しており、
前記底面を構成した際に、前記第３の底面板の前記背面側となる端には、折線を介して、前記脚部となる第３の脚板が連接しており、
前記第２の脚板を、前記折線を介して折り曲げ、該折り曲げた第２の脚板の裏面と前記第１の脚板の裏面とを重ね合わせると共に、前記第３の脚板を、前記折線を介して折り曲げ、該折り曲げた第３の脚板の裏面と前記第１の脚板の裏面とを重ね合わせ、前記脚部を構成し、
前記前面板と前記第２の底面板とが連接している折線の箇所と、前記脚部と、で前記包装容器を直立させるようにしたことを特徴とする包装容器。
【請求項５】
前記背面板と前記第１の脚板とは一体化した１つの板で構成していることを特徴とする請求項３または４記載の包装容器。
【請求項６】
前記包装容器の上面は、前記背面板と折線を介して連接している第１の上面板の表面と、前記前面板と折線を介して連接している第２の上面板の裏面と、が重なりあって構成し、
前記第１の上面板には、前記包装容器の吊下部となる第１の吊下板が形成されており、
前記第２の上面板には、前記吊下部となる第２の吊下板が形成されており、
前記第１の上面板の表面と、前記第２の上面板の裏面と、を重ね合わせた際に、前記第１の吊下板の表面と前記第２の吊下板の裏面とが重なり合い、前記吊下部を構成することを特徴とする請求項１から５の何れか１項に記載の包装容器。
【請求項７】
前記第２の上面板の他端には、折線を介して差込片と連接しており、
前記背面板と前記第１の上面板とが連接している箇所には、切込が設けられており、
前記上面は、前記第１の上面板の表面と、前記第２の上面板の裏面と、を重ね合わせた際に、前記差込片を前記切込に差し込み、前記第１の上面板の表面と、前記第２の上面板の裏面と、を重ね合わせた状態を維持させるようにしたことを特徴とする請求項６記載の包装容器。
【請求項８】
請求項１から７の何れか１項に記載の包装容器の構造を形成するためのブランクシート。
【発明の詳細な説明】
【技術分野】
【０００１】
本発明は、包装容器に関する。
【背景技術】
【０００２】
従来の六面体からなる包装容器は、包装容器を地平面等に直立させた状態にしても、包装容器が倒れる傾向があり、包装容器自体に自立性を持たせ、包装容器を地平面等に直立させた状態にすることが困難であった。
【０００３】
このようなことから、本発明より先に出願された技術文献として、六面体からなる包装容器において、包装容器の背面の下端を包装容器の正面よりも短小にし、かつ背面の下端に足桁部を設け、包装容器の正面の下端と背面の足桁部と、で包装容器を直立させるようにした包装容器について開示された文献がある（例えば、特許文献１参照）。
【先行技術文献】
【特許文献】
【０００４】
【特許文献１】実公昭６３−８５７０号公報
【発明の開示】
【発明が解決しようとする課題】
【０００５】
しかし、上記特許文献１の包装容器は、脚桁部を一枚で構成しているため、脚桁部を構成する部分に厚みを持たせなければ、脚桁部の強度を保つことができない。また、脚桁部を一枚で構成しているため、脚桁部の裏面が外部に露出し、脚桁部の裏面が外部から視認できてしまうことになる。
【０００６】
本発明は、上記事情に鑑みてなされたものであり、包装容器を直立させるための脚部の強度を確保しつつ、脚部の意匠性を向上させることが可能な包装容器及びその容器を形成するためのブランクシートを提供することを目的とする。
【課題を解決するための手段】
【０００７】
かかる目的を達成するために、本発明は以下の特徴を有することとする。
なお、以下に説明する（  ）の中の記載は、『特許請求の範囲』と、『発明の実施の形態』と、の対応関係を明らかにするために付加したものであり、『特許請求の範囲』に記載されている発明の技術的範囲の解釈を意識的に限定するものではない。
【０００８】
＜包装容器＞
本発明にかかる包装容器（100）は、
内容物を収納可能な包装容器（100）であって、
前記包装容器（100）の底面（2）は、前記包装容器（100）の背面（1）を構成する背面板（11）と折線（a）を介して連接している第１の底面板（12-1）の裏面と、前記包装容器（100）の前面（6）を構成する前面板（16）と折線（h）を介して連接している第２の底面板（12-2,12-3）の表面と、が重なりあって構成し、
前記第１の底面板（12-1）には、前記折線（a）が設けられていない箇所を繋いだ少なくとも１つの切込（30）が設けられており、該切込（30）により、前記包装容器（100）の脚部（20）となる第１の脚板（20-1）を構成し、
前記第２の底面板（12-2,12-3）の他端は、折線（m）を介して前記脚部（20）となる第２の脚板（20-2）と連接しており、前記第２の脚板（20-2）を、前記折線（m）を介して折り曲げ、該折り曲げた第２の脚板（20-2）を、前記切込（30）を介して前記第１の底面板（12-1）の表面側に突出させ、該突出させた前記第２の脚板（20-2）の裏面と前記第１の脚板（20-1）の裏面とを重ね合わせて前記脚部（20）を構成し、
前記前面板（16）と前記第２の底面板（12-2,12-3）とが連接している折線（h）の箇所と、前記脚部（20）と、で前記包装容器（100）を直立させるようにしたことを特徴とする。
【０００９】
また、本発明にかかる包装容器（100）は、
内容物を収納可能な包装容器（100）であって、
前記包装容器（100）の底面（2）は、前記包装容器（100）の左側面（5）を構成する左側面板（15）と折線（r）を介して連接している第１の底面板（12-1）の表面と、前記包装容器（100）の前面（6）を構成する前面板（16）と折線（h）を介して連接している第２の底面板（12-2）の裏面と、前記包装容器（100）の右側面（4）を構成する右側面板（14-2）と折線（s）を介して連接している第３の底面板（12-3）の表面と、が重なりあって構成し、
前記包装容器（100）の背面（1）を構成する背面板（11）の前記底面（2）側は、前記包装容器（100）の脚部（20）となる第１の脚板（20-1）を有し、
前記第２の底面板（12-2）の他端は、折線（m）を介して前記脚部（20）となる第２の脚板（20-2）と連接しており、前記第２の脚板（20-2）を、前記折線（m）を介して折り曲げ、該折り曲げた第２の脚板（20-2）の裏面と前記第１の脚板（20-1）の裏面とを重ね合わせて前記脚部（20）を構成し、
前記前面板（16）と前記第２の底面板（12-2）とが連接している折線（h）の箇所と、前記脚部（20）と、で前記包装容器（100）を直立させるようにしたことを特徴とする。
【００１０】
また、本発明にかかる包装容器（100）は、
内容物を収納可能な包装容器（100）であって、
前記包装容器（100）の底面（2）は、前記包装容器（100）の左側面（5）を構成する左側面板（15）と折線（r）を介して連接している第１の底面板（12-1）の表面と、前記包装容器（100）の前面（6）を構成する前面板（16）と折線（h）を介して連接している第２の底面板（12-2）の裏面と、前記包装容器（100）の右側面（4）を構成する右側面板（14-2）と折線（s）を介して連接している第３の底面板（12-3）の表面と、が重なりあって構成し、
前記包装容器（100）の背面（1）を構成する背面板（11）の前記底面（2）側は、前記包装容器（100）の脚部（20）となる第１の脚板（20-1）を有し、
前記底面（2）を構成した際に、前記第１の底面板（12-1）の前記背面（1）側となる端には、折線（t）を介して、前記脚部（20）となる第２の脚板（20-2）が連接しており、
前記底面（2）を構成した際に、前記第３の底面板（12-3）の前記背面（1）側となる端には、折線（u）を介して、前記脚部（20）となる第３の脚板（20-3）が連接しており、
前記第２の脚板（20-2）を、前記折線（t）を介して折り曲げ、該折り曲げた第２の脚板（20-2）の裏面と前記第１の脚板（20-1）の裏面とを重ね合わせると共に、前記第３の脚板（20-3）を、前記折線（u）を介して折り曲げ、該折り曲げた第３の脚板（20-3）の裏面と前記第１の脚板（20-1）の裏面とを重ね合わせ、前記脚部（20）を構成し、
前記前面板（16）と前記第２の底面板（12-2）とが連接している折線（h）の箇所と、前記脚部（20）と、で前記包装容器（100）を直立させるようにしたことを特徴とする。
【００１１】
＜ブランクシート＞
本発明にかかるブランクシートは、
上記記載の包装容器（100）の構造を形成するためのブランクシートであることを特徴とする。
【発明の効果】
【００１２】
本発明によれば、包装容器を直立させるための脚部の強度を確保しつつ、脚部の意匠性を向上させることができる。
【図面の簡単な説明】
【００１３】
【図１】第１の実施形態の包装容器100の正面図を示す図である。
【図２】第１の実施形態の包装容器100の側面図を示す図である。
【図３】第１の実施形態の包装容器100の背面図を示す図である。
【図４】第１の実施形態の包装容器100の脚部20の拡大図を示す図である。
【図５】第１の実施形態の包装容器100の吊下部22の拡大図を示す図である。
【図６】第１の実施形態の包装容器100の展開図を示す図である。
【図７】第１の実施形態の包装容器100の製造工程を説明するための第１の図である。
【図８】第１の実施形態の包装容器100の製造工程を説明するための第２の図である。
【図９】第２の実施形態の包装容器100の脚部20の拡大図を示す図である。
【図１０】第２の実施形態の包装容器100の側面図を示す図である。
【図１１】第２の実施形態の包装容器100の展開図を示す図である。
【図１２】第２の実施形態の包装容器100の製造工程を説明するための図である。
【図１３】第３の実施形態の包装容器100の展開図を示す図である。
【発明を実施するための形態】
【００１４】
（第１の実施形態）
＜包装容器100の構成例＞
まず、図１〜図５を参照しながら、本実施形態の包装容器100の構成例について説明する。図１は、本実施形態の包装容器100の正面図であり、図２は、側面図であり、図３は、背面図である。また、図４は、脚部20の拡大図であり、図５は、吊下部22の拡大図である。
【００１５】
本実施形態における包装容器100は、図１〜図３に示すように、前面部6と、底面部2と、上面部3と、右側面部4と、左側面部5と、背面部1と、を有して構成する。前面部6は、包装容器100の前面を構成する。底面部2は、包装容器100の底面を構成する。上面部3は、包装容器100の上面を構成する。右側面部4は、包装容器100の右側面を構成する。左側面部5は、包装容器100の左側面を構成する。背面部1は、包装容器100の背面を構成する。
【００１６】
本実施形態の包装容器100の前面部6には、図１に示すように、抜窓Aを有し、抜窓Aから包装容器100の内部が視認できるようにしている。これにより、包装容器100の内部に収納した内容物（図示せず）を抜窓Aから視認することができる。抜窓Aの形状は、特に限定せず、使用用途に応じてあらゆる形状の抜窓Aを構成することが可能である。また、抜窓Aの数も特に限定せず、使用用途に応じて任意の数の抜窓Aを形成することが可能である。また、本実施形態の包装容器100は、抜窓Aを設ける構成にしたが、抜窓Aを設けない構成にすることも可能である。
【００１７】
また、本実施形態の包装容器100は、図２、図３に示すように、背面部1の下端1aには、脚部20を有し、前面部6の下端6aと脚部20とで包装容器100を地平面上に直立可能な構成にしている。
【００１８】
本実施形態の脚部20は、図４に示すように、背面部1の下端1aに設けられた第１の脚板20-1と、底面部2の内側を構成する第２の底面板12-2の一端に連接された第２の脚板20-2と、の２つの脚板20-1,20-2を重ね合わせて構成し、強度のある脚部20を構成している。
【００１９】
このため、一枚の脚板で脚部20を構成した場合よりも、強度のある脚部20を構成することが可能となるため、図２に示すように、前面部6の下端6aと脚部20とで包装容器100を地平面上に直立させた状態にした場合でも、多くの負荷を脚部20にかけることが可能となる。
【００２０】
また、脚部20は、２つの脚板20-1,20-2の裏面同士を重ね合わせて構成し、脚部20の外側は、２つの脚板20-1,20-2の表面で構成することになる。このため、脚板20-1,20-2の裏面が外部に露出することがなく、意匠性に優れた脚部20を構成することができる。
【００２１】
なお、本実施形態の包装容器100は、図２に示すように、脚部20の長さを調整することで、包装容器100の傾斜角度を調整することができる。例えば、脚部20の長さを長くすることで、包装容器100を前面部6側に傾斜することができ、脚部20の長さを短くすることで、包装容器100を背面部1側に傾斜することができる。
【００２２】
また、本実施形態の包装容器100は、図１〜図３に示すように、上面部3には、吊下部22を有し、包装容器100を吊り下げ可能な構成にしている。
【００２３】
本実施形態の吊下部22は、図５に示すように、上面部3の内側を構成する第１の上面板13-1内に設けられた第１の吊下板22-1と、上面部3の外側を構成する第２の上面板13-2内に設けられた第２の吊下板22-2と、を重ね合わせて構成し、強度のある吊下部22を構成している。
【００２４】
このため、１枚の吊下板で吊下部22を構成した場合よりも、強度のある吊下部22を構成することが可能となる。また、吊下部22と上面部3とは２枚の板で連接するように構成しているため、吊下部22と上面部3とが連接する連接部分の強度を高め、多くの負荷を連接部分にかけることが可能となる。
【００２５】
また、本実施形態の吊下部22は、図５に示すように、吊下部22を構成する第１の吊下板22-1は、上面部3の内側を構成する第１の上面板13-1に連接し、第２の吊下板22-2は、上面部3の外側を構成する第２の上面板13-2に連接しているため、第１の吊下板22-1にかかる負荷を第１の上面板13-1に分散し、第２の吊下板22-2にかかる負荷を第２の上面板13-2に分散することができる。
【００２６】
本実施形態における包装容器100は、例えば、厚紙、ボール紙などの紙素材により形成することが可能である。また、包装容器1は、複数枚、または、１枚の紙素材から形成することも可能である。
【００２７】
＜包装容器100の展開図＞
次に、図６を参照しながら、本実施形態における包装容器100の概略展開図について説明する。図６は、包装容器100の展開図であり、包装容器100の外側を構成する側の面（表面側）の構成例を示している。
【００２８】
本実施形態における包装容器100は、第１の右側面板14-1と、第２の右側面板14-2と、背面板11と、左側面板15と、前面板16と、第３の右側面板14-3と、が連接して構成している。
【００２９】
第１の右側面板14-1は、包装容器100の右側面部4の内側を構成するための板である。第２の右側面板14-2は、包装容器100の右側面部4の外側を構成するための板である。本実施形態の右側面部4は、第１の右側面板14-1の表面と第３の右側面板14-3の裏面とを貼り合わせることで、第２の右側面板14-2の表面と第３の右側面板14-3の表面とが右側面部4の表面を構成することになる。また、第２の右側面板14-2が右側面部4の内側を構成することになる。なお、第１の右側面板14-1の表面と第３の右側面板14-3の裏面とを貼り合わせる際の構成や方法は特に限定せず、様々な手法（例えば、公知の粘着剤等）を用いて貼り合わせることが可能である。
【００３０】
背面板11は、包装容器100の背面部1を構成するための板である。左側面板15は、包装容器100の左側面部5を構成するための板である。前面板16は、包装容器100の前面部6を構成するための板である。第３の右側面板14-3は、包装容器100の右側面部4の外側を構成するための板である。
【００３１】
第１の右側面板14-1と第２の右側面板14-2とは折線eを介して連接している。また、第２の右側面板14-2と背面板11とは折線bを介して連接している。また、背面板11と左側面板15とは折線cを介して連接している。また、左側面板15と前面板16とは折線iを介して連接している。また、前面板16と第３の右側面板14-3とは折線jを介して連接している。
【００３２】
また、背面板11の下端には、折線aを介して第１の底面板12-1が連接している。また、第１の底面板12-1の他端には、折線fを介して差込片21が連接している。また、背面板11の下端には、折線aが設けられていない部分に、第１の脚板20-1が連接している。第１の底面板12-1には、折線aが設けられていない箇所の両端を繋ぐように切込30が設けられており、その切込30により第１の脚板20-1を構成している。
【００３３】
第１の底面板12-1は、包装容器100の底面部2の外側を構成するための板である。差込片21は、包装容器100を構成する際に、前面板16の下端に設けられた切込33に差込片21を差し込み、第１の底面板12-1と、第２の底面板12-2と、第３の底面板12-3と、で底面部2を構成させるための片である。折線fの両端には、切込f'が設けられており、その切込f'により、差込片21を切込33に差し込みし易くさせると共に、切込33に差込片21を差し込んだ際に、その差し込んだ差込片21を切込33から外し難くさせるようにしている。第２の底面板12-2と第３の底面板12-3は、包装容器100の底面部2の内側を構成するための板である。第１の脚板20-1は、脚部20の背面側を構成するための板である。
【００３４】
なお、切込30の一部分で第１の脚板20-1と第１の底面板12-1とを連結するように構成することも可能である。これにより、第１の脚板20-1を第１の底面板12-1に連結させ、第１の脚板20-1を第１の底面板12-1に固定させることができる。但し、切込30の一部分で第１の脚板20-1と第１の底面板12-1とを連結するように構成した場合には、折線aを介して第１の底面板12-1を内側に折り曲げた際に、第１の脚板20-1と第１の底面板12-1とを連結した連結部分を切断させるように構成する必要がある。
【００３５】
また、背面板11の上端には、折線dを介して第１の上面板13-1が連接している。背面板11の上端には、切込32が設けられており、第１の上面板13-1は、切込32が設けられていない折線dを介して背面板11と連接している。第１の上面板13-1は、包装容器100の上面部3の内側を構成するための板である。なお、第１の上面板13-1には、吊下部22を構成する第１の吊下板22-1を形成するための切込31と折線gと開孔Bとが設けられており、折線gを介して第１の吊下板22-1を外側に折り曲げ、吊下部22の背面側を構成する。また、第１の吊下板22-1には、吊下孔Cが設けられている。
【００３６】
なお、切込31の一部分で第１の上面板13-1と第１の吊下板22-1とを連結するように構成することも可能である。これにより、第１の吊下板22-1を第１の上面板13-1に連結させ、第１の吊下板22-1を第１の上面板13-1に固定させることができる。
【００３７】
また、前面板16の下端には、折線hを介して第３の底面板12-3が連接している。また、第３の底面板12-3の他端には、折線lを介して第２の底面板12-2が連接している。また、第２の底面板12-2の他端には、折線mを介して第２の脚板20-2が連接している。また、前面板16の下端には、切込33が設けられており、第３の底面板12-3は、切込33が設けられていない折線hを介して前面板16と連接している。第２の底面板12-2と第３の底面板12-3は、包装容器100の底面部2の内側を構成するための板である。第２の脚板20-2は、脚部20の前面側を構成するための板である。
【００３８】
また、前面板16の上端には、折線kを介して第３の上面板13-3が連接している。また、第３の上面板13-3の他端には、折線nを介して第２の上面板13-2が連接している。また、第２の上面板13-2の他端には、折線oを介して差込片23が連接している。第２の上面板13-2と第３の上面板13-3は、包装容器100の上面部3の表側を構成するための板である。差込片23は、包装容器100を構成する際に、背面板11の上端に設けられた切込32に差込片23を差し込み、第１の上面板13-1と、第２の上面板13-2と、第３の上面板13-3と、で上面部3を構成させるための片である。折線oの両端には、切込o'が設けられており、その切込o'により、差込片23を切込32に差し込みし易くさせると共に、切込32に差込片23を差し込んだ際に、その切込32に差し込んだ差込片23を切込32から外し難くさせるようにしている。なお、第２の上面板13-2には、吊下部22を構成する第２の吊下板22-2を形成するための切込34と折線pと開孔Dとが設けられており、折線pを介して第２の吊下板22-2を外側に折り曲げ、吊下部22の前面側を構成することになる。また、第２の吊下板22-2には、吊下孔Cが設けられている。
【００３９】
なお、切込34の一部分で第２の上面板13-2と第２の吊下板22-2とを連結するように構成することも可能である。これにより、第２の吊下板22-2を第２の上面板13-2に連結させ、第２の吊下板22-2を第２の上面板13-2に固定させることができる。
【００４０】
＜包装容器100の製造工程＞
次に、図６〜図８を参照しながら、図６に示す板紙製のブランクシートを組み立てて、図１〜図３に示すような包装容器100を構成するまでの製造工程について説明する。図７、図８は、包装容器100を構成する際の製造工程を説明するための図である。なお、以下に説明する製造工程は一例であり、本実施形態の包装容器100を構成することが可能であれば、当業者が適宜修正、変更を加え、様々な製造工程を適用することが可能であることは言うまでもない。
【００４１】
本実施形態の包装容器100を構成する製造工程の概略としては、図６に示す板紙製のブランクシートの必要な箇所（例えば、第１の右側面板14-1の表面と第３の右側面板14-3の裏面とを貼り合わせる箇所40）に糊付を行い、図６に示す折線（e、i）に沿って内側に折り曲げ、図７（a）に示す状態に折り畳まれた包装容器100を作製し、その後、図７（b）に示す状態時の包装容器100の中に、内容物（図示せず）を収納し、最終的に、図１〜図３に示す状態の包装容器100を構成する。
【００４２】
まず、図６に示す第１の右側面板14-1を折線eに沿って第２の右側面板14-2の裏面側（図６の裏側）に折り曲げる。また、前面板16及び第３の右側面板14-3を折線iに沿って左側面板15の裏面側（図６の裏側）に折り曲げる。そして、第１の右側面板14-1の表面と第３の右側面板14-3の裏面とを粘着剤40等で貼り合わせる。
【００４３】
これにより、図６に示す板紙製のブランクシートを折り畳んだ図７（a）に示す状態の包装容器100を構成することができる。図７（a）は、背面板11を下側にし、上面板16を上側にした状態を示す。
【００４４】
本実施形態の包装容器100は、図７（a）に示す状態で、保管、輸送等を行う。図７（a）に示す状態の包装容器100は、第１の右側面板14-1の表面と第３の右側面板14-3の裏面とが粘着剤40等で接着した状態を構成する。
【００４５】
次に、図７（a）に示す状態に折り畳んだ包装容器100に対し、内容物（図示せず）を収納することになる。
【００４６】
この場合、まず、図７（a）に示す状態に折り畳まれた包装容器100を起こし、図７（b）に示すように、包装容器100を四角柱形状に構成し、一方の側面の開口部から内容物（図示せず）を挿入する。内容物を包装容器100内に挿入した後は、まず、図６に示すように、前面板16に折線hを介して連接している第３の底面板12-3、第２の底面板12-2、第２の脚板20-2を、折線hを介して内側に折り曲げ、尚かつ、第２の脚板20-2を、折線mを介して表側に折り曲げる。これにより、図７（c）に示すように、第３の底面板12-3及び第２の底面板12-2は、包装容器100の底面部2の内側を構成することになる。また、第２の脚板20-2は、折線mを介して表面側に折り曲げることで、脚部20の前面側を構成することになる。
【００４７】
次に、図６に示すように、背面板11に折線aを介して連接している第１の底面板12-1、差込片21を、折線aを介して内側に折り曲げる。これにより、図７（d）に示すように、第１の底面板12-1は、包装容器100の底面部2の表側を構成することになる。また、第１の脚板20-1の裏面と第２の脚板20-2の裏面とを重ね合わせ、脚部20を構成することになる。
【００４８】
なお、差込片21は、折線fを介して内側に折り曲げ、図６に示すように、第３の底面板12-3の一端に設けられた切込33に差込片21を差し込み、第２の底面板12-2及び第３の底面板12-3の表面と、第１の底面板12-1の裏面と、を重ね合わせ、図８（e）に示すように、第１の底面板12-1を、第２の底面板12-3及び第３の底面板12-3に固定させる。
【００４９】
また、包装容器100の上面部3は、図６に示すように、背面板11に折線dを介して連接している第１の上面板13-1を、折線dを介して内側に折り曲げ、図８（f）に示すように、上面部3の内側を構成する。そして、図６に示すように、前面板16に折線kを介して連接している第３の上面板13-3、第２の上面板13-2を、折線kを介して内側に折り曲げる。これにより、図８（g）に示すように、第３の上面板13-3、第２の上面板13-2は、包装容器100の上面部3の表側を構成することになる。なお、差込片23は、折線oを介して内側に折り曲げ、図６に示すように、第１の上面板13-1の一端に設けられた切込32に差込片23を差し込み、第１の上面板13-1の表面と、第２の上面板13-2及び第３の上面板13-3の裏面と、を重ね合わせ、図８（h）に示すように、第２の上面板13-2及び第３の上面板13-3を、第１の上面板13-1に固定させる。また、第１の吊下板22-1の表面と第２の吊下板22-2の裏面とを重ね合わせ、吊下部22を構成する。
【００５０】
なお、上記方法では、包装容器100の内部に内容物（図示せず）を挿入した後に、包装容器100の底面部2,上面部3を形成することにしたが、例えば、一方の底面部2を形成した後に、包装容器100の内部に内部物（図示せず）を挿入し、もう一方の上面部3を形成するように構築することも可能である。
【００５１】
上述した製造工程で形成された包装容器100は、吊下部22を包装容器100から突出させ、吊下部22に設けられた吊下孔Cに紐やフック等を挿入し、包装容器100を吊り下げることができる。また、包装容器100の前面部6の下端6aと脚部20とで包装容器100を地平面上に直立させた状態にすることができる。
【００５２】
＜本実施形態の包装容器100の作用・効果＞
このように、本実施形態の包装容器100の底面部2は、包装容器100の背面部1を構成する背面板11と折線aを介して連接している第１の底面板12-1の裏面と、包装容器100の前面部6を構成する前面板16と折線hを介して連接している第２の底面板12-2,第３の底面板12-3の表面と、が重なりあって構成する。
【００５３】
また、第１の底面板12-1には、折線aが設けられていない箇所を繋いだ少なくとも１つの切込30が設けられており、該切込30により、包装容器100の脚部20となる第１の脚板20-1を構成する。また、第２の底面板12-2,第３の底面板12-3の他端は、折線mを介して脚部20となる第２の脚板20-2と連接しており、第２の脚板20-2を、折線mを介して折り曲げ、該折り曲げた第２の脚板20-2を、切込30を介して第１の底面板12-1の表面側に突出させ、該突出させた第２の脚板20-2の裏面と第１の脚板20-1の裏面とを重ね合わせて脚部20を構成する。
【００５４】
これにより、本実施形態の包装容器100は、前面板16と第２の底面板12-2,第３の底面板12-3とが連接している折線hの箇所と、脚部20と、で包装容器100を地平面上に直立させるようにすることができる。また、本実施形態の包装容器100は、包装容器100を地平面上に直立させるための脚部20の強度を確保しつつ、脚部20の意匠性を向上させることができる。
【００５５】
また、本実施形態の包装容器100の上面部3は、背面板11と折線dを介して連接している第１の上面板13-1の表面と、前面板16と折線kを介して連接している第２の上面板13-2,第３の上面板13-3の裏面と、が重なりあって構成し、第１の上面板13-1には、包装容器100の吊下部22となる第１の吊下板22-1が形成されている。また、第２の上面板13-2,第３の上面板13-3には、吊下部22となる第２の吊下板22-2が形成されている。
【００５６】
そして、第１の上面板13-1の表面と、第２の上面板13-2,第３の上面板13-3の裏面と、を重ね合わせた際に、第１の吊下板22-1の表面と第２の吊下板22-2の裏面とが重なり合い、吊下部22を構成する。
【００５７】
これにより、本実施形態の包装容器100は、吊下部22（22-1,22-2）と上面部3（13-1,13-2,13-3）とは２枚の板で連接するように構成しているため、吊下部22と上面部3とが連接する連接部分の強度を高め、多くの負荷を連接部分にかけることが可能となる。
【００５８】
なお、上記実施形態の包装容器100は、図６に示すように、折線nを介して第２の上面板13-2と、第３の上面板13-3と、を連接する構成にしたが、折線nを設けず、上述した第２の上面板13-2と第３の上面板13-3とを一体化し、１つの第２の上面板13-2,13-3にすることも可能である。
【００５９】
また、上記実施形態の包装容器100は、図６に示すように、折線lを介して第２の底面板12-2と、第３の底面板12-3と、を連接する構成にしたが、折線lを設けず、上述した第２の底面板12-2と第３の底面板12-3とを一体化し、１つの第２の底面板12-2,12-3にすることも可能である。
【００６０】
（第２の実施形態）
次に、第２の実施形態について説明する。
【００６１】
第１の実施形態の脚部20は、図４に示すように、底面部2の内側を構成する第２の底面板12-2に連接している第２の脚板20-2と、背面部1（背面板11）の下端1aに連接している第１の脚板20-1と、を重ね合わせて構成することにした。
【００６２】
第２の実施形態の脚部20は、図９に示すように、底面部2の外側を構成する第２の底面板12-2に連接している第２の脚板20-2と、背面部1（背面板11）の下端1aに連接している第１の脚板20-1と、を重ね合わせて構成する。これにより、第１の実施形態の包装容器100と同様に、強度のある脚部20を構成することができる。以下、図９〜図１２を参照しながら、第２の実施形態について説明する。
【００６３】
＜包装容器100の構成例＞
まず、図９、図１０を参照しながら、本実施形態における包装容器100の構成例について説明する。図１０は、本実施形態における包装容器100の側面図であり、図９は、脚部20の拡大図を示す。
【００６４】
本実施形態における包装容器100は、図１０に示すように、前面部6と、底面部2と、上面部3と、右側面部4と、左側面部（図示せず）と、背面部1と、を有して構成する。
【００６５】
本実施形態の包装容器100の上面部3には、図１０に示すように、吊下部22を有し、包装容器100を吊り下げ可能にしている。吊下部22の構成は、第１の実施形態と同様に構成するため、具体的な説明は割愛する。
【００６６】
また、本実施形態の包装容器100の背面部1の下端1aには、脚部20を有し、前面部6の下端6aと脚部20とで包装容器100を地平面上に直立可能な構成にしている。
【００６７】
本実施形態の脚部20は、図９に示すように、背面部1の下端1aに設けられた第１の脚板20-1と、底面部2の外側を構成する第２の底面板12-2に連接された第２の脚板20-2と、の２つの脚板20-1,20-2を重ね合わせて構成し、強度のある脚部20を構成している。
【００６８】
このため、一枚の脚板で脚部20を構成した場合よりも、強度のある脚部20を構成することが可能となる。このため、前面部6の下端6aと脚部20とで包装容器100を地平面上に直立させた状態にした場合でも、多くの負荷を脚部20にかけることが可能となる。
【００６９】
また、脚部20は、２つの脚板20-1,20-2の裏面同士を重ね合わせて構成し、脚部20の外側は、２つの脚板20-1,20-2の表面で構成することになる。このため、脚板20-1,20-2の裏面が外部に露出することがなく、意匠性に優れた脚部20を構成することができる。
【００７０】
＜包装容器100の展開図＞
次に、図１１を参照しながら、本実施形態における包装容器100の概略展開図について説明する。図１１は、包装容器100の展開図であり、包装容器100の外側を構成する側の面の構成例を示している。
【００７１】
本実施形態における包装容器100は、第１の右側面板14-1と、背面板11と、左側面板15と、前面板16と、第２の右側面板14-2と、が連接して構成している。
【００７２】
第１の右側面板14-1は、包装容器100の右側面部4の内側を構成するための板である。本実施形態の右側面部4は、第１の右側面板14-1の表面と第２の右側面板14-2の裏面とを貼り合わせることで、第２の右側面板14-2の表面が右側面部4の表面を構成することになる。また、第１の右側面板14-1が右側面部4の内側を構成することになる。なお、第１の右側面板14-1の表面と第２の右側面板14-2の裏面とを貼り合わせる際の構成や方法は特に限定せず、様々な手法（例えば、公知の粘着剤等）を用いて貼り合わせることが可能である。
【００７３】
背面板11は、包装容器100の背面部1を構成するための板である。左側面板15は、包装容器100の左側面部5を構成するための板である。前面板16は、包装容器100の前面部6を構成するための板である。第２の右側面板14-2は、包装容器100の右側面部4の外側を構成するための板である。
【００７４】
第１の右側面板14-1と背面板11とは折線bを介して連接している。また、背面板11と左側面板15とは折線cを介して連接している。また、左側面板15と前面板16とは折線iを介して連接している。また、前面板16と第２の右側面板14-2とは折線jを介して連接している。
【００７５】
また、背面板11の下端には、第１の脚板20-1を有している。第１の脚板20-1は、脚部20の背面側を構成するための板である。なお、図１１では、背面板11と第１の脚板20-1とを区別するために点線aを記載したが、背面板11と第１の脚板20-1とは一体化した１つの板で構成している。
【００７６】
また、背面板11の上端には、折線dを介して第１の上面板13-1が連接している。背面板11の上端には、切込32が設けられており、第１の上面板13-1は、切込32が設けられていない折線dを介して背面板11と連接している。第１の上面板13-1は、包装容器100の上面部3の内側を構成するための板である。なお、第１の上面板13-1には、吊下部22を構成するための第１の吊下板22-1を形成するための切込31と折線gと開孔Bとが設けられており、折線gを介して第１の吊下板22-1を外側に折り曲げることで吊下部22の背面側を構成することになる。また、第１の吊下板22-1には、吊下孔Cが設けられている。
【００７７】
また、左側面板15の下端には、折線rを介して第１の底面板12-1が連接している。第１の底面板12-1は、包装容器100の底面部2の内側を構成するための板である。
【００７８】
また、前面板16の下端には、折線hを介して第２の底面板12-2が連接している。また、第２の底面板12-2の他端には、折線mを介して第２の脚板20-2が連接している。第２の底面板12-2は、包装容器100の底面部2の外側を構成するための板である。第２の脚板20-2は、脚部20の前面側を構成するための板である。
【００７９】
また、前面板16の上端には、折線kを介して第２の上面板13-2が連接している。また、第２の上面板13-2の他端には、折線oを介して差込片23が連接している。第２の上面板13-2は、包装容器100の上面部3の表側を構成するための板である。差込片23は、包装容器100を構成する際に、背面板11の上端に設けられた切込32に差込片23を差し込み、第１の上面板13-1と、第２の上面板13-2と、で上面部3を構成させるための片である。折線oの両端には、切込o'が設けられており、その切込o'により、差込片23を切込32に差し込みし易くさせると共に、切込32に差込片23を差し込んだ際に、その切込32に差し込んだ差込片23を切込32から外し難くさせるようにしている。なお、第２の上面板13-2には、吊下部22を構成するための第２の吊下板22-2を形成するための切込34と折線pと開孔Dとが設けられており、折線pを介して第２の吊下板22-2を外側に折り曲げ、吊下部22の前面側を構成することになる。また、第２の吊下板22-2には、吊下孔Cが設けられている。
【００８０】
また、第２の右側面板14-2の下端には、折線sを介して第３の底面板12-3が連接している。第３の底面板12-3は、包装容器100の底面部2の内側を構成するための板である。
【００８１】
＜包装容器100の製造工程＞
次に、図１１〜図１２を参照しながら、図１１に示す板紙製のブランクシートを組み立てて、図１０に示すような包装容器100を構成するまでの製造工程について説明する。図１２は、包装容器100を構成する際の製造工程を説明するための図である。なお、以下に説明する製造工程は一例であり、本実施形態の包装容器100を構成することが可能であれば、当業者が適宜修正、変更を加え、様々な製造工程を適用することが可能であることは言うまでもない。
【００８２】
本実施形態の包装容器100を構成する製造工程の概略としては、図１１に示す板紙製のブランクシートの必要な箇所（例えば、第１の右側面板14-1の表面と第２の右側面板14-2の裏面とを貼り合わせる箇所40）に糊付を行い、図１１に示す折線（b、i）に沿って内側に折り曲げ、図１２（a）に示す状態に折り畳まれた包装容器100を作製し、その後、図１２（b）に示す状態時の包装容器100の中に、内容物（図示せず）を収納し、最終的に、図１０に示す状態の包装容器100を構成する。
【００８３】
まず、図１１に示す第１の右側面板14-1を、折線bに沿って背面板11の裏面側（図１１の裏側）に折り曲げる。また、前面板16及び第２の右側面板14-2を、折線iに沿って左側面板15の裏面側（図１１の裏側）に折り曲げる。そして、第１の右側面板14-1の表面と第２の右側面板14-2の裏面とを粘着剤40等で貼り合わせる。
【００８４】
これにより、図１１に示す板紙製のブランクシートを折り畳んだ図１２（a）に示す状態の包装容器100を構成することができる。図１２（a）は、背面板11を下側にし、上面板16を上側にした状態を示す。
【００８５】
本実施形態の包装容器100は、図１２（a）に示す状態で、保管、輸送等を行う。図１２（a）に示す状態の包装容器100は、第１の右側面板14-1の表面と第２の右側面板14-2の裏面とが粘着剤40等で接着した状態を構成する。
【００８６】
次に、図１２（a）に示す状態に折り畳んだ包装容器100に対し、内容物（図示せず）を収納することになる。
【００８７】
この場合、まず、図１２（a）に示す状態に折り畳まれた包装容器100を起こし、図１２（b）に示すように、包装容器100を四角柱形状に構成し、一方の側面の開口部から内容物（図示せず）を挿入する。内容物を包装容器100内に挿入した後は、まず、図１１に示すように、左側面板15に折線rを介して連接している第１の底面板12-1を、折線rを介して内側に折り曲げる。また、第２の右側面板14-2に折線sを介して連接している第３の底面板12-3を、折線sを介して内側に折り曲げる。これにより、図１２（c）に示すように、第１の底面板12-1及び第３の底面板12-3は、底面部2の内側を構成することになる。
【００８８】
次に、図１１に示すように、前面板16に折線hを介して連接している第２の底面板12-2、第２の脚板20-2を、折線hを介して内側に折り曲げ、第１の底面板12-1及び第３の底面板12-3の表面と、第２の底面板12-2の裏面と、を貼り合わせると共に、第２の脚板20-2を、折線mを介して表側に折り曲げ、第２の脚板20-2の裏面と、第１の脚板20-1の裏面と、を重ね合わせて貼り合わせる。これにより、図１２（d）に示すように、第２の底面板12-2は、包装容器100の底面部2の表側を構成することになる。また、第２の脚板20-2は、第１の脚板20-1と重なり合い、脚部20を構成することになる。
【００８９】
なお、上面部6は、第１の実施形態の包装容器100とほぼ同様に形成するため、具体的な説明は割愛する。
【００９０】
＜本実施形態の包装容器100の作用・効果＞
このように、本実施形態の包装容器100の底面部2は、包装容器100の左側面部5を構成する左側面板15と折線rを介して連接している第１の底面板12-1の表面と、包装容器100の前面部6を構成する前面板16と折線hを介して連接している第２の底面板12-2の裏面と、包装容器100の右側面部4を構成する右側面板14-2と折線sを介して連接している第３の底面板12-3の表面と、が重なりあって構成する。
【００９１】
また、包装容器100の背面部1を構成する背面板11の底面部2側は、包装容器100の脚部20となる第１の脚板20-1を有しており、第２の底面板12-2の他端は、折線mを介して脚部20となる第２の脚板20-2と連接しており、第２の脚板20-2を、折線mを介して折り曲げ、該折り曲げた第２の脚板20-2の裏面と第１の脚板20-1の裏面とを重ね合わせて脚部20を構成する。
【００９２】
これにより、本実施形態の包装容器100は、前面板16と第２の底面板12-2とが連接している折線hの箇所と、脚部20と、で包装容器100を地平面上に直立させるようにすることができる。また、本実施形態の包装容器100は、包装容器100を地平面上に直立させるための脚部20の強度を確保しつつ、脚部20の意匠性を向上させることができる。
【００９３】
（第３の実施形態）
次に、第３の実施形態について説明する。
【００９４】
第２の実施形態の脚部20は、図９、図１１に示すように、底面部2の外側を構成する第２の底面板12-2に連接している第２の脚板20-2と、背面部1を構成する背面板11の下端に連接している第１の脚板20-1と、を重ね合わせて構成した。
【００９５】
第３の実施形態の脚部は、図１３に示すように、底面部2の内側を構成する第１の底面板12-1に連接している第２の脚板20-2、及び、第３の底面板12-3に連接している第３の脚板20-3と、背面部1を構成する背面板11の下端に連接している第１の脚板20-1と、を重ね合わせて構成する。これにより、第２の実施形態の包装容器100と同様に、強度のある脚部20を構成することができる。
【００９６】
＜本実施形態の包装容器100の作用・効果＞
このように、本実施形態の包装容器100の底面部2は、包装容器100の左側面部5を構成する左側面板15と折線rを介して連接している第１の底面板12-1の表面と、包装容器100の前面部6を構成する前面板16と折線hを介して連接している第２の底面板12-2の裏面と、包装容器100の右側面部4を構成する右側面板14-2と折線sを介して連接している第３の底面板12-3の表面と、が重なりあって構成する。
【００９７】
また、包装容器100の背面部1を構成する背面板11の底面部2側は、包装容器100の脚部20となる第１の脚板20-1を有しており、底面部2を構成した際に、第１の底面板12-1の背面部1側となる端には、折線tを介して、脚部20となる第２の脚板20-2が連接している。また、底面部2を構成した際に、第３の底面板12-3の背面部1側となる端には、折線uを介して、脚部20となる第３の脚板20-3が連接している。
【００９８】
また、第２の脚板20-2を、折線tを介して折り曲げ、該折り曲げた第２の脚板20-2の裏面と第１の脚板20-1の裏面とを重ね合わせると共に、第３の脚板20-3を、折線uを介して折り曲げ、該折り曲げた第３の脚板20-3の裏面と第１の脚板20-1の裏面とを重ね合わせ、脚部20を構成する。
【００９９】
これにより、本実施形態の包装容器100は、前面板16と第２の底面板12-2とが連接している折線hの箇所と、脚部20と、で包装容器100を地平面上に直立させるようにすることができる。また、本実施形態の包装容器100は、包装容器100を地平面上に直立させるための脚部20の強度を確保しつつ、脚部20の意匠性を向上させることができる。
【０１００】
なお、図１３では、背面板11と第１の脚板20-1とを区別するために点線aを記載したが、第２の実施形態と同様に、背面板11と第１の脚板20-1とは一体化した１つの板で構成している。
【０１０１】
なお、上述する実施形態は、本発明の好適な実施形態であり、上記実施形態のみに本発明の範囲を限定するものではなく、本発明の要旨を逸脱しない範囲において当業者が上記実施形態の修正や代用を行い、種々の変更を施した形態を構築することが可能である。
【産業上の利用可能性】
【０１０２】
本発明は、各種内容物を挿入して使用する包装容器に適用可能である。
【符号の説明】
【０１０３】
１００    包装容器
１    背面部
１a    背面部１の下端
２    底面部
１２−１    第１の底面板
１２−２    第２の底面板
１２−３    第３の底面板
３    上面部
１３−１    第１の上面板
１３−２    第２の上面板
１３−３    第３の上面板
４    右側面部
１４−１    第１の右側面板
１４−２    第２の右側面板
１４−３    第３の右側面板
５    左側面部
１５    左側面板
６    前面部
６a    前面部の下端
１６    前面板
２０    脚部
２０−１    第１の脚板
２０−２    第２の脚板
２０−３    第３の脚板
２１    差込片
２２    吊下部
２２−１    第１の吊下板
２２−２    第２の吊下板
２３    差込片
３０、３１、３２、３３、３４    切込
a、b、c、d、e、f、g、h、i、j、k、l、m、n、o、p、r、s、t、u    折線
f'、o'    切込
A    抜窓
B、C、D    開孔
【図１】
2011105335.tif 000003
【図２】
2011105335.tif 000004
【図３】
2011105335.tif 000005
【図４】
2011105335.tif 000006
【図５】
2011105335.tif 000007
【図６】
2011105335.tif 000008
【図７】
2011105335.tif 000009
【図８】
2011105335.tif 000010
【図９】
2011105335.tif 000011
【図１０】
2011105335.tif 000012
【図１１】
2011105335.tif 000013
【図１２】
2011105335.tif 000014
【図１３】
2011105335.tif 000015